(57)【要約】【課題】かごやつり合い重りと保守員が衝突するといった重大事故の防止のためのエレベーターの保守時安全装置の提供。【解決手段】エレベーター昇降路内のつり合い重り４，かご２等の機器に取り付け告知器９ａ，９ｂに起動をかける起動信号を発信する発信器８ａ〜８ｄと、発信器８ａ〜８ｄからの電波信号を受信する受信部１０と発信器８ａ〜８ｄからの電波信号を受信すると受信器１０に電波信号を発信する発信部と告知器９ａ，９ｂの携帯者に電波信号の受信を知らせる告知部を設けた告知器９ａ，９ｂと、告知器９ａ，９ｂの発信部からの電波信号を受信しエレベーターの運転を阻止する受信器とで構成した。【選択図】図１
2005132543.tif 000002
【特許請求の範囲】
【請求項１】
エレベーター昇降路内のつり合い重り、かご等の機器に取り付け告知器に起動をかける起動信号を発信する発信器と、発信器からの電波信号を受信する受信部と発信器からの電波信号を受信すると受信器に電波信号を発信する発信部と告知器の携帯者に電波信号の受信を知らせる告知部を設けた告知器と、告知器の発信部からの電波信号を受信しエレベーターの運転を阻止する受信器とを備えたことを特徴とするエレベーター保守時安全装置。
【請求項２】
前記発信器の電波信号が接近による携帯者への衝突が回避できる距離内に電波信号を発信しているまたは、前記告知器の受信部が接近による携帯者への衝突が回避できる距離で電波信号を受信することができることを特徴とする請求項１のエレベーター保守時安全装置。
【請求項３】
前記発信器の発信可能範囲の距離または、前記告知器の受信可能範囲の距離を可変調節自在としたことを特徴とする請求項１のエレベーター保守時安全装置。
【請求項４】
前記受信器により、運転を阻止されたエレベーターの運転を保守用運転装置の特殊操作により再開できる機能を有することを特徴とする請求項１のエレベーター保守時安全装置。
【発明の詳細な説明】
【技術分野】
【０００１】
この発明は、エレベーターの昇降路内作業における保守員の事故発生を未然に防止するためのエレベーターの保守時安全装置に関する。
【背景技術】
【０００２】
エレベーター昇降路の点検に関しては、従来から保守員が保守装置を用いて定期的な点検作業を行っている。この昇降路の点検作業は、通常２名の保守員で行われ、２名がかご上に乗り合わせた運転点検作業、１名はかご上に乗り１名がかご内にいる運転点検作業、１名は昇降路底部（ピット）に入り、１名がかご内で昇降運転作業、あるいは時として前記の複合した運転点検作業等が行われている。
【０００３】
上記、それぞれの運転点検作業においては、種々の危険が潜んでいる。したがって、保守員の安全を維持するため種々の保守装置が活用されている。
【０００４】
この種の装置としては、エレベーター昇降路側壁に設けられ、エレベーターかごの上昇接近、下降接近およびつり合い重りの下降接近をそれぞれ検出する接近検出手段と、かごおよびつり合い重りの接近状態を接近物に応じた報知形態で警報する警報手段が知られている（特許文献１参照）。
【特許文献１】特開平５−１６２９３７号公報（段落０００８、図１）
【発明の開示】
【発明が解決しようとする課題】
【０００５】
従来の保守時安全装置は以上のように、かごおよびつり合い重りと保守員の接近を警報音の音響で告知しているが、音響での告知では作業に集中している場合や警報音の音響に慣れてしまうとあまり危険を感知しなくなってしまい、かごやつり合い重りと保守員が衝突するといった重大事故につながる恐れがあった。
【０００６】
この発明は上記のような問題点を解消するためになされたもので、かごやつり合い重りが保守員に接近した場合には、警報音の音響で告知するのに加えてエレベーターの運転を一旦阻止することにより保守員にかごやつり合い重りの接近を確実に告知し、保守員とかごやつり合い重りの接近状態で運転を再開する場合には、運転装置の特殊操作を必要としたエレベーターの保守時安全装置を提供することを目的とする。
【課題を解決するための手段】
【０００７】
エレベーター昇降路内のつり合い重り、かご等の機器に取り付け、告知器に起動をかける起動信号を発信する発信器と、発信器からの電波信号を受信する受信部と発信器からの電波信号を受信すると受信器に電波信号を発信する発信部と告知器の携帯者に電波信号の受信を知らせる告知部を設けた告知器と、告知器の発信部からの電波信号を受信しエレベーターの運転を阻止する受信器とで構成したものである。
【０００８】
この発明により、かごやつり合い重りが保守員に接近した場合には、警報音の音響で告知するのに加えてエレベーターの運転を一旦阻止することにより、保守員とかごやつり合い重りとの衝突を防止でき、かつ、保守員にかごやつり合い重りの接近を確実に告知することができる。
【発明の効果】
【０００９】
エレベーター昇降路内のつり合い重り、かご等の機器に取り付け告知器に起動をかける起動信号を発信する発信器と、発信器からの電波信号を受信する受信部と発信器からの電波信号を受信すると受信器に電波信号を発信する発信部と告知器の携帯者に電波信号の受信を知らせる告知部を設けた告知器と、告知器の発信部からの電波信号を受信しエレベーターの運転を阻止する受信器とを備え、かごやつり合い重りが保守員に接近した場合には、警報音の音響で告知するのに加えてエレベーターの運転を一旦阻止することにより保守員とかごやつり合い重りとの衝突を防止でき、かつ、保守員にかごやつり合い重りの接近を確実に告知することができる。
【発明を実施するための最良の形態】
【００１０】
以下、本発明実施の最良の形態をエレベーターの昇降路内の例で図に基づいて説明する。
【００１１】
図１はこの発明の一実施形態を示す昇降路の断面図である。図１において、１は昇降路、２は昇降路１内を移動するかご、３は一端でかご２を支持する主索、４は主索３の他端に支持されたつり合い用のつり合い重り、５は昇降路１のピット部、６は昇降路１の上部に設置される制御盤、７はエレベーターを駆動する駆動装置、８ａ〜８ｂは昇降路内に設置される発信器、９ａ，９ｂは保守員が携帯する告知器、１０は制御盤に指令を出す受信器、１１ａはかご２の上にいる保守員、１１ｂはピット部５にいる保守員である。
【００１２】
図１において、昇降路１の天井部、かご２の底部、つり合い重り４の上下部にそれぞれ発信器８ａ〜８ｄが配置され、かご２の上の保守員１１ａ、ピット５内の保守員１１ｂが告知器９ａ，９ｂを携帯し、受信器１０が制御盤６に配置されている。
【００１３】
次に本実施形態の動作を説明する。
【００１４】
今、図示しない保守用運転装置にて上昇運転を開始すると、発信器８ａと告知器９ａの距離が徐々に近くなる。そして予め設定してある距離以下に近づくと、保守員１１ａと昇降路１の天井が接近したと判断できるため告知器９ａが保守員１１ａに対し衝突注意の告知を行うとともに、受信器１０に対し電波信号を発信する。そして、告知器９ａからの信号を受信した受信器１０は、エレベーターの運転を阻止するために制御盤６に停止信号を送る。すると駆動装置７が停止し、エレベーターが停止する。すなわち、かご２の上昇が止まるので保守員１１ａと昇降路１の天井部との衝突を防止することができる。
【００１５】
またピット５内では、つり合い重り４の底部に取り付けた発信器８ｄと保守員１１ｂが携帯している告知器９ｂの距離が徐々に近づくことになり、予め設定してある距離以下に近づくと、保守員１１ｂとつり合い重り４が接近したと判断できるため、告知器９ｂが保守員１１ｂに対し衝突注意の告知を行うとともに、上記上昇運転時と同様にエレベーターの運転阻止の動作を行うことにより、保守員１１ｂとつり合い重り４の底部の衝突を防止することができる。
【００１６】
なお、さらに上昇運転を続ける場合には、図示しない保守運転装置の運転指令を一定時間操作し続ける等の特殊操作を行うことにより運転可能となる。
【００１７】
次に、下降運転を開始すると、発信器８ｃと告知器９ａの距離が徐々に近くなる。そして予め設定してある距離以下に近づくと、保守員１１ａとつり合い重り４の上部が接近したと判断できるため告知器９ａが保守員１１ａに対し衝突注意の告知を行うとともに、上記上昇運転時と同様にエレベーターの運転阻止の動作を行うことにより、保守員１１ａとつり合い重り４の上部との衝突を防止することができる。
【００１８】
なお、さらに下降運転を続ける場合には、図示しない保守運転装置の運転指令を一定時間操作し続ける等の特殊操作を行うことにより運転可能となる。
【００１９】
そして、さらに下降運転を継続すると、ピット５内では、かご２の底部に取り付けた発信器８ｂと保守員１１ｂが携帯している告知器９ｂの距離が徐々に近づくことになり、予め設定してある距離以下に近づくと、保守員１１ｂとかご２が接近したと判断できるため、告知器９ｂが保守員１１ｂに対し衝突注意の告知を行うとともに、上記上昇運転時と同様にエレベーターの運転阻止の動作を行うことにより、保守員１１ａとかご２との衝突を防止することができる。
【００２０】
ここで、再度上昇運転を行うと、今度は発信器８ｄと告知器９ａの距離が徐々に近くなる。そして予め設定してある距離以下に近づくと、保守員１１ａとつり合い重り４の底部が接近したと判断できるため、告知器９ａが保守員１１ａに対し衝突注意の告知を行うとともに、上記上昇運転時と同様にエレベーターの運転阻止の動作を行うことにより、保守員１１ａとつり合い重り４の底部との衝突を防止することができる。
【００２１】
上記のごとく、保守員と昇降路内の機器の衝突の危険を検出するとエレベーターの運転を一旦阻止するので、注意喚起の警告音を聞き逃して衝突するということを防止できる。
【図面の簡単な説明】
【００２２】
【図１】本発明の実施形態を示す昇降路の断面図である。
【符号の説明】
【００２３】
１    昇降路
２    かご
４    つり合い重り
５    ピット
６    制御盤
７    駆動装置
８ａ〜８ｄ  発信器
９ａ、９ｂ  告知器
１０  受信器
１１ａ、１１ｂ  保守員
【図１】
2005132543.tif 000003